(57)【要約】  本発明に係るユーザ端末は、直接的な端末間通信であるＤ２Ｄ通信をサポートする移動通信システムにおけるユーザ端末である。当該ユーザ端末は、前記Ｄ２Ｄ通信によって情報を配信する他のユーザ端末の位置を管理するネットワーク装置から、前記ユーザ端末の周辺に位置する前記他のユーザ端末に関するＤ２Ｄ端末情報を受信する受信部と、前記Ｄ２Ｄ端末情報に基づいて、前記他のユーザ端末を発見するための制御を行う制御部と、を備える。
2015045860.tif 000002
【特許請求の範囲】
【請求項１】
直接的な端末間通信であるＤ２Ｄ通信をサポートする移動通信システムにおけるユーザ端末であって、
前記Ｄ２Ｄ通信によって情報を配信する他のユーザ端末の位置を管理するネットワーク装置から、前記ユーザ端末の周辺に位置する前記他のユーザ端末に関するＤ２Ｄ端末情報を受信する受信部と、
前記Ｄ２Ｄ端末情報に基づいて、前記他のユーザ端末を発見するための制御を行う制御部と、を備えることを特徴とするユーザ端末。
【請求項２】
前記Ｄ２Ｄ端末情報を要求するための端末情報要求を前記ネットワーク装置に送信する送信部をさらに備えることを特徴とする請求項１に記載のユーザ端末。
【請求項３】
前記送信部は、前記ユーザ端末が前記Ｄ２Ｄ通信を過去に行った位置に近接した場合に、前記端末情報要求を前記ネットワーク装置に送信することを特徴とする請求項２に記載のユーザ端末。
【請求項４】
前記受信部が前記Ｄ２Ｄ端末情報を受信する前に、前記ユーザ端末が前記Ｄ２Ｄ通信を可能であることを示すＤ２Ｄ能力情報を前記ネットワーク装置に送信する送信部をさらに備えることを特徴とする請求項１に記載のユーザ端末。
【請求項５】
前記Ｄ２Ｄ能力情報は、前記ユーザ端末が前記Ｄ２Ｄ通信を可能な周波数帯域を特定するための情報を含むことを特徴とする請求項４に記載のユーザ端末。
【請求項６】
前記受信部は、前記制御部が前記他のユーザ端末を発見するための制御を行うと判定した後に、前記Ｄ２Ｄ通信の相手端末として発見されるために前記他のユーザ端末が送信する発見信号に関する発見信号情報を前記ネットワーク装置から受信し、
前記制御部は、前記他のユーザ端末を発見するための制御として、前記発見信号情報に基づいて前記発見信号を受信するための制御を行うことを特徴とする請求項１に記載のユーザ端末。
【請求項７】
前記Ｄ２Ｄ端末情報を受信した後に、前記発見信号情報を要求するための発見情報要求を前記ネットワーク装置に送信する送信部をさらに備えることを特徴とする請求項６に記載のユーザ端末。
【請求項８】
前記発見信号情報は、前記他のユーザ端末が前記発見信号を送信するタイミングを示す情報及び／又は前記他のユーザ端末の前記発見信号の送信に用いられる無線リソースの情報を含むことを特徴とする請求項６に記載のユーザ端末。
【請求項９】
直接的な端末間通信であるＤ２Ｄ通信をサポートする移動通信システムにおけるネットワーク装置であって、
前記Ｄ２Ｄ通信によって情報を配信する他のユーザ端末の位置を管理する制御部と、
前記ユーザ端末が前記他のユーザ端末の周辺に位置する場合に、前記ユーザ端末の周辺に位置する前記他のユーザ端末に関するＤ２Ｄ端末情報を前記ユーザ端末に送信する送信部と、を備えることを特徴とするネットワーク装置。
【請求項１０】
前記Ｄ２Ｄ端末情報を要求するための端末情報要求を前記ユーザ端末から受信する受信部をさらに備え、
前記送信部は、前記端末情報要求の受信に応じて、前記Ｄ２Ｄ端末情報を前記ユーザ端末に送信することを特徴とする請求項９に記載のネットワーク装置。
【請求項１１】
前記Ｄ２Ｄ通信を可能であることを示すＤ２Ｄ能力情報を前記ユーザ端末から受信する受信部をさらに備え、
前記送信部は、前記Ｄ２Ｄ能力情報を前記ユーザ端末から受信していた場合にのみ、前記Ｄ２Ｄ端末情報を前記ユーザ端末に送信することを特徴とする請求項９に記載のネットワーク装置。
【請求項１２】
前記送信部は、前記Ｄ２Ｄ能力情報が、前記ユーザ端末が前記Ｄ２Ｄ通信を可能な周波数帯域を特定するための情報を含む場合、前記情報によって特定された周波数帯域を用いて前記Ｄ２Ｄ通信を可能な前記他のユーザ端末のみに関する前記Ｄ２Ｄ端末情報を前記ユーザ端末に送信することを特徴とする請求項１１に記載のネットワーク装置。
【請求項１３】
前記送信部は、前記他のユーザ端末の位置が固定されている場合、固定された前記他のユーザ端末に関する前記Ｄ２Ｄ端末情報を前記ユーザ端末に送信することを特徴とする請求項９に記載のネットワーク装置。
【請求項１４】
前記送信部は、前記Ｄ２Ｄ端末情報を送信した後に、前記Ｄ２Ｄ通信の相手端末として発見されるために前記他のユーザ端末が送信する発見信号に関する発見信号情報を、前記ユーザ端末に送信することを特徴とする請求項９に記載のネットワーク装置。
【請求項１５】
前記Ｄ２Ｄ端末情報を送信した後に、前記発見信号情報を要求するための発見情報要求を前記ユーザ端末から受信する受信部をさらに備え、
前記送信部は、前記発見情報要求を前記ユーザ端末から受信した場合に、前記発見信号情報を前記ユーザ端末に送信することを特徴とする請求項１４に記載のネットワーク装置。
【請求項１６】
前記送信部は、所定の条件において前記発見信号の送信を許可する送信許可情報を前記他のユーザ端末に送信し、
前記送信部は、前記発見信号情報として、前記送信許可情報を前記ユーザ端末に送信することを特徴とする請求項１４に記載のネットワーク装置。
【請求項１７】
前記発見信号情報は、前記他のユーザ端末が前記発見信号を送信するタイミングを示す情報及び／又は前記他のユーザ端末の前記発見信号の送信に用いられる無線リソースの割当情報を含むことを特徴とする請求項１４に記載のネットワーク装置。
【発明の詳細な説明】
【技術分野】
【０００１】
本発明は、Ｄ２Ｄ通信をサポートする移動通信システムにおけるユーザ端末及びネットワーク装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信では、近接する複数のユーザ端末がコアネットワークを介さずに直接的な端末間通信を行う。一方、移動通信システムの通常の通信であるセルラ通信では、ユーザ端末がコアネットワークを介して通信を行う。【０００４】
なお、ユーザ端末は、Ｄ２Ｄ通信の相手端末を発見するための制御を行う。一例として、ユーザ端末は、他のユーザ端末から送信される発見信号（Ｄｉｓｃｏｖｅｒｙ信号又はＤｉｓｃｏｖｅｒａｂｌｅ信号）を受信する制御を行う。
【先行技術文献】
【非特許文献】
【０００５】
【非特許文献１】３ＧＰＰ技術報告書  「ＴＲ  ２２．８０３  Ｖ１２．１．０」      ２０１３年６月
【発明の概要】
【０００６】
しかしながら、ユーザ端末の周辺にＤ２Ｄ通信を可能な他のユーザ端末が存在するとは限らない。このため、ユーザ端末は、Ｄ２Ｄ通信の相手端末を発見するための制御を行っても、当該他のユーザ端末が周辺に存在しなければ、当該他のユーザ端末を発見することができない。従って、ユーザ端末は、Ｄ２Ｄ通信の相手端末を発見するための制御を行うことによって、無駄にバッテリを消費する虞がある。
【０００７】
そこで、本発明は、Ｄ２Ｄ通信における無駄なバッテリの消費を抑制可能なユーザ端末及びネットワーク装置を提供することを目的とする。
【０００８】
一実施形態に係るユーザ端末は、直接的な端末間通信であるＤ２Ｄ通信をサポートする移動通信システムにおけるユーザ端末である。当該ユーザ端末は、前記Ｄ２Ｄ通信によって情報を配信する他のユーザ端末の位置を管理するネットワーク装置から、前記ユーザ端末の周辺に位置する前記他のユーザ端末に関するＤ２Ｄ端末情報を受信する受信部と、前記Ｄ２Ｄ端末情報に基づいて、前記他のユーザ端末を発見するための制御を行う制御部と、を備える。
【図面の簡単な説明】
【０００９】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す図である。
【図７】図７は、Ｄ２Ｄ通信におけるデータパスを示す図である。
【図８】図８は、本実施形態に係る移動通信システムの動作例を示すシーケンス図である。
【図９】図９は、本実施形態に係るＤ２Ｄ管理リストの一例を示す図である。
【発明を実施するための形態】
【００１０】
［実施形態の概要］
実施形態に係るユーザ端末は、直接的な端末間通信であるＤ２Ｄ通信をサポートする移動通信システムにおけるユーザ端末である。当該ユーザ端末は、前記Ｄ２Ｄ通信によって情報を配信する他のユーザ端末の位置を管理するネットワーク装置から、前記ユーザ端末の周辺に位置する前記他のユーザ端末に関するＤ２Ｄ端末情報を受信する受信部と、前記Ｄ２Ｄ端末情報に基づいて、前記他のユーザ端末を発見するための制御を行う制御部と、を備える。
【００１１】
実施形態に係るユーザ端末は、前記Ｄ２Ｄ端末情報を要求するための端末情報要求を前記ネットワーク装置に送信する送信部をさらに備える。
【００１２】
実施形態に係るユーザ端末において、前記送信部は、前記ユーザ端末が前記Ｄ２Ｄ通信を過去に行った位置に近接した場合に、前記端末情報要求を前記ネットワーク装置に送信する。
【００１３】
実施形態に係るユーザ端末は、前記受信部が前記Ｄ２Ｄ端末情報を受信する前に、前記ユーザ端末が前記Ｄ２Ｄ通信を可能であることを示すＤ２Ｄ能力情報を前記ネットワーク装置に送信する送信部をさらに備える。
【００１４】
実施形態に係るユーザ端末において、前記Ｄ２Ｄ能力情報は、前記ユーザ端末が前記Ｄ２Ｄ通信を可能な周波数帯域を特定するための情報を含む。
【００１５】
実施形態に係るユーザ端末において、前記受信部は、前記制御部が前記他のユーザ端末を発見するための制御を行うと判定した後に、前記Ｄ２Ｄ通信の相手端末として発見されるために前記他のユーザ端末が送信する発見信号に関する発見信号情報を前記ネットワーク装置から受信し、前記制御部は、前記他のユーザ端末を発見するための制御として、前記発見信号情報に基づいて前記発見信号を受信するための制御を行う。
【００１６】
実施形態に係るユーザ端末は、前記Ｄ２Ｄ端末情報を受信した後に、前記発見信号情報を要求するための発見情報要求を前記ネットワーク装置に送信する送信部をさらに備える。
【００１７】
実施形態に係るユーザ端末において、前記発見信号情報は、前記他のユーザ端末が前記発見信号を送信するタイミングを示す情報及び／又は前記他のユーザ端末の前記発見信号の送信に用いられる無線リソースの情報を含む。
【００１８】
実施形態に係るネットワーク装置は、直接的な端末間通信であるＤ２Ｄ通信をサポートする移動通信システムにおけるネットワーク装置である。当該ネットワーク装置は、前記Ｄ２Ｄ通信によって情報を配信する他のユーザ端末の位置を管理する制御部と、前記ユーザ端末が前記他のユーザ端末の周辺に位置する場合に、前記ユーザ端末の周辺に位置する前記他のユーザ端末に関するＤ２Ｄ端末情報を前記ユーザ端末に送信する送信部と、を備える。
【００１９】
実施形態に係るネットワーク装置は、前記Ｄ２Ｄ端末情報を要求するための端末情報要求を前記ユーザ端末から受信する受信部をさらに備える。前記送信部は、前記端末情報要求の受信に応じて、前記Ｄ２Ｄ端末情報を前記ユーザ端末に送信する。
【００２０】
実施形態に係るネットワーク装置は、前記Ｄ２Ｄ通信を可能であることを示すＤ２Ｄ能力情報を前記ユーザ端末から受信する受信部をさらに備える。前記送信部は、前記Ｄ２Ｄ能力情報を前記ユーザ端末から受信していた場合にのみ、前記Ｄ２Ｄ端末情報を前記ユーザ端末に送信する。
【００２１】
実施形態に係るネットワーク装置において、前記送信部は、前記Ｄ２Ｄ能力情報が、前記ユーザ端末が前記Ｄ２Ｄ通信を可能な周波数帯域を特定するための情報を含む場合、前記情報によって特定された周波数帯域を用いて前記Ｄ２Ｄ通信を可能な前記他のユーザ端末のみに関する前記Ｄ２Ｄ端末情報を前記ユーザ端末に送信する。
【００２２】
実施形態に係るネットワーク装置において、前記送信部は、前記他のユーザ端末の位置が固定されている場合、固定された前記他のユーザ端末に関する前記Ｄ２Ｄ端末情報を前記ユーザ端末に送信する。
【００２３】
実施形態に係るネットワーク装置において、前記送信部は、前記Ｄ２Ｄ端末情報を送信した後に、前記Ｄ２Ｄ通信の相手端末として発見されるために前記他のユーザ端末が送信する発見信号に関する発見信号情報を、前記ユーザ端末に送信する。
【００２４】
実施形態に係るネットワーク装置は、前記Ｄ２Ｄ端末情報を送信した後に、前記発見信号情報を要求するための発見情報要求を前記ユーザ端末から受信する受信部をさらに備える。前記送信部は、前記発見情報要求を前記ユーザ端末から受信した場合に、前記発見信号情報を前記ユーザ端末に送信する。
【００２５】
実施形態に係るネットワーク装置において、前記送信部は、所定の条件において前記発見信号の送信を許可する送信許可情報を前記他のユーザ端末に送信し、前記送信部は、前記発見信号情報として、前記送信許可情報を前記ユーザ端末に送信する。
【００２６】
実施形態に係るネットワーク装置は、前記発見信号情報は、前記他のユーザ端末が前記発見信号を送信するタイミングを示す情報及び／又は前記他のユーザ端末の前記発見信号の送信に用いられる無線リソースの割当情報を含む。
【００２７】
［実施形態］
（ＬＴＥシステム）
図１は、本実施形態に係るＬＴＥシステムの構成図である。
【００２８】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２９】
ＵＥ１００は、移動型の無線通信装置であり、接続を確立したセル（サービングセル）との無線通信を行う。ＵＥ１００はユーザ端末に相当する。
【００３０】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。なお、ｅＮＢ２００が管理するセルとＵＥ１００との接続と同じ意味として、ｅＮＢ２００とＵＥ１００との接続と適宜称する。
【００３１】
なお、「セル」は、無線通信エリアの最小単位を示す用語として使用される他に、ＵＥ１００との無線通信を行う機能を示す用語としても使用される。
【００３２】
ｅＮＢ２００は、例えば、無線リソース管理（ＲＲＭ）機能と、ユーザデータのルーティング機能と、モビリティ制御及びスケジューリングのための測定制御機能と、を有する。
【００３３】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。また、ＥＰＣ２０は、コアネットワークに相当する。
【００３４】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３５】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３６】
ＯＡＭ４００は、オペレータによって管理されるサーバ装置であり、Ｅ−ＵＴＲＡＮ１０の保守及び監視を行う。
【００３７】
次に、ＵＥ１００及びｅＮＢ２００の構成を説明する。
【００３８】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３９】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４２】
ＧＮＳＳ受信機１３０は、ＵＥ１００の地理的な位置を示す位置情報を得るために、ＧＮＳＳ信号を受信して、受信した信号をプロセッサ１６０に出力する。
【００４３】
バッテリ１４０は、ＵＥ１００の各ブロックに供給すべき電力を蓄える。
【００４４】
メモリ１５０は、プロセッサ１６０によって実行されるプログラムと、プロセッサ１６０による処理に使用される情報と、を記憶する。
【００４５】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４６】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４７】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４９】
メモリ２３０は、プロセッサ２４０によって実行されるプログラムと、プロセッサ２４０による処理に使用される情報と、を記憶する。
【００５０】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
図４は、ＬＴＥシステムにおける無線インターフェイスのプロトコルスタック図である。
【００５２】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５３】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５６】
ＰＤＣＰレイヤは、ヘッダ圧縮・伸張、及び暗号化・復号化を行う。
【００５７】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６０】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６１】
ＵＥ１００に割り当てられる無線リソースのうち、周波数リソースはリソースブロックにより特定でき、時間リソースはサブフレーム（又はスロット）により特定できる。
【００６２】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６３】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００６４】
（Ｄ２Ｄ通信）
次に、ＬＴＥシステムの通常の通信（セルラ通信）とＤ２Ｄ通信とを比較して説明する。
【００６５】
図６は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６６】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００６７】
図７は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６８】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００６９】
なお、Ｄ２Ｄ通信が開始されるケースとして、（ａ）相手端末を発見するための動作を行うことによって相手端末を発見した後に、Ｄ２Ｄ通信が開始されるケースと、（ｂ）相手端末を発見するための動作を行わずにＤ２Ｄ通信が開始されるケースがある。
【００７０】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００７１】
このケースの場合、ＵＥ１００は、相手端末を発見するために、自身の近傍に存在する他のＵＥ１００を発見する（Ｄｉｓｃｏｖｅｒ）機能、及び／又は、自身が他のＵＥ１００から発見される(Ｄｉｓｃｏｖｅｒａｂｌｅ)機能を有する。
【００７２】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。
【００７３】
一方、上記（ｂ）のケースでは、例えば、ＵＥ１００は、ブロードキャストによってＤ２Ｄ通信用の信号の報知を開始する。これにより、ＵＥ１００は、相手端末の発見の有無にかかわらず、Ｄ２Ｄ通信を開始できる。
【００７４】
（移動通信システムの概略動作）
次に、本実施形態に係る移動通信システムの概略動作について、図８及び図９を用いて説明する。図８は、本実施形態に係る移動通信システムの動作例を示すシーケンス図である。図９は、本実施形態に係るＤ２Ｄ管理リストの一例を示す図である。
【００７５】
図８に示すように、本実施形態に係る移動通信システムは、ＵＥ１００−１、ＵＥ１００−２、ｅＮＢ２００及びＮＷ５００（ネットワーク装置）を有する。
【００７６】
ＵＥ１００−１及びＵＥ１００−２のそれぞれは、ｅＮＢ２００との接続を確立していない。すなわち、ＵＥ１００−１及びＵＥ１００−２のそれぞれは、アイドル状態である。
【００７７】
ＵＥ１００−１は、Ｄ２Ｄ通信よって情報を配信する端末である。本実施形態において、ＵＥ１００−１は、Ｄ２Ｄ通信専用端末であり、例えば、街頭又は店舗内に設置されるキオスク端末である。ただし、ＵＥ１００−１（すなわち、Ｄ２Ｄ通信専用端末）は、ネットワークを介して、管理サーバ等に接続可能であってもよい。ＵＥ１００−１は、小型モジュール向けの通信機能であるＭＴＣ（Ｍａｃｈｉｎｅ  Ｔｙｐｅ  Ｃｏｍｍｕｎｉｃａｔｉｏｎ）機能を有する。
【００７８】
また、ＵＥ１００−１は、近傍の端末を発見するための発見信号を送信する。本実施形態において、発見信号は、発見信号を送信するＵＥ１００（例えば、ＵＥ１００−１）が他のＵＥ１００（例えば、ＵＥ１００−２）から発見されるための信号（Ｄｉｓｃｏｖｅｒａｂｌｅ信号）である。発見信号は、Ｄ２Ｄ通信用の参照信号、ビーコン信号又はパイロット信号であってもよい。
【００７９】
ＮＷ５００は、Ｄ２Ｄ通信が可能なＵＥ１００を管理する。具体的には、ＮＷ５００は、Ｄ２Ｄ通信が可能なＵＥ１００の位置を管理する。本実施形態において、ＮＷ５００は、図９に示すように、Ｄ２Ｄ管理リストを記憶する。
【００８０】
本実施形態において、Ｄ２Ｄ管理リストには、「Ｄ２Ｄ通信可能なＵＥ１００の識別子（端末ＩＤ）」、「Ｄ２Ｄ通信可能なＵＥ１００が接続するセルの識別子（接続セルＩＤ）」、「Ｄ２Ｄ通信可能なＵＥ１００の位置情報（位置情報）」及び「Ｄ２Ｄ通信可能なＵＥ１００がＤ２Ｄ実行中か否かを示す情報（Ｄ２Ｄ実行中情報）」が記録される。なお、位置情報及びＤ２Ｄ実行中情報は、オプションであってもよく、位置情報は、Ｄ２Ｄ通信専用に用いられ、位置が固定される固定端末のみ記録されてもよい。
【００８１】
図８に示すように、ステップＳ１０１において、ＵＥ１００−１は、ｅＮＢ２００との接続を確立する。
【００８２】
ステップＳ１０２において、ＵＥ１００−１は、Ｄ２Ｄ能力情報（Ｄ２Ｄ  ｃａｐａｂｉｌｉｔｙ情報）をｅＮＢ２００を介してＮＷ５００に送信する。ＮＷ５００は、Ｄ２Ｄ能力情報を受信する。ＮＷ５００は、ＵＥ１００−１からのＤ２Ｄ能力情報の受信によって、ＵＥ１００−１がＤ２Ｄ通信可能であると認識する。
【００８３】
Ｄ２Ｄ能力情報は、Ｄ２Ｄ通信を可能であることを示す情報である。Ｄ２Ｄ能力情報として、例えば、（ａ）セルラ通信をサポートしている全ての帯域において、ＵＥ１００が上りリンク及び下りリンクを用いたＤ２Ｄ通信を可能であることを示す情報（Ｄ２Ｄ  ｃａｐａｂｉｌｉｔｙ）、（ｂ）セルラ通信をサポートしている全ての帯域において、ＵＥ１００が上りリンク及び／又は下りリンクを用いたＤ２Ｄ通信を可能であることを示す情報（Ｄ２Ｄ  ｃａｐａｂｉｌｉｔｙ  ｐｅｒ  ＵＬ／ＤＬ）、（ｃ）所定の帯域において、ＵＥ１００が上りリンク及び下りリンクを用いたＤ２Ｄ通信を可能であることを示す情報（Ｄ２Ｄ  ｃａｐａｂｉｌｉｔｙ  ｐｅｒ  ｂａｎｄ）、（ｄ）所定の帯域において、ＵＥ１００が上りリンク及び／又は下りリンクを用いたＤ２Ｄ通信を可能であることを示す情報（Ｄ２Ｄ  ｃａｐａｂｉｌｉｔｙ  ｐｅｒ  ｂａｎｄ  ＋ＵＬ／ＤＬ）、（ｅ）上りリンクの所定の帯域及び／又は下りリンクの所定の帯域において、ＵＥ１００が上りリンク及び／又は下りリンクを用いたＤ２Ｄ通信を可能であることを示す情報（Ｄ２Ｄ  ｃａｐａｂｉｌｉｔｙ  ｐｅｒ  ＵＬ／ＤＬ  ｐｅｒ  ｂａｎｄ）、が挙げられる。このように、Ｄ２Ｄ能力情報は、Ｄ２Ｄ通信を可能な周波数帯域を特定するための情報を含んでもよい。
【００８４】
Ｄ２Ｄ能力情報は、ＵＥ  Ｃａｐａｂｉｌｉｔｙ  Ｉｎｆｏｍａｔｉｏｎを用いて、ｅＮＢ２００に通知してもよい。また、Ｄ２Ｄ能力情報のために、新たなＦＧＩ  ｂｉｔが規定されてもよい。また、Ｄ２Ｄ能力情報は、ＵＥ  ＥＵＴＲＡ  Ｃａｐａｂｉｌｉｔｙに含まれてもよい。
【００８５】
また、Ｄ２Ｄ能力情報は、ＵＥ１００−１が固定端末であることを示す固定情報を含んでいてもよい。固定情報として、ＵＥ１００−１がＭＴＣ機能を有することを示す情報、ＵＥ１００−１がＤＣ給電であることを示す情報などが挙げられる。
【００８６】
なお、ＵＥ１００−１は、ステップＳ１０１において、ｅＮＢ２００との接続を確立する際に、Ｄ２Ｄ能力情報を送信してもよい。
【００８７】
ステップＳ１０３において、ＮＷ５００は、所定の条件において発見信号の送信を許可するＤｉｓｃｏｖｅｒａｂｌｅ関連情報（送信許可情報）を、ｅＮＢ２００を介して、ＵＥ１００−１に送信する。ＵＥ１００−１は、Ｄｉｓｃｏｖｅｒａｂｌｅ関連情報を受信する。
【００８８】
所定の条件は、例えば、許可された発見信号の送信タイミング及び／又は発見信号の送信に用いられることが許可された無線リソースによって規定される。Ｄｉｓｃｏｖｅｒａｂｌｅ関連情報は、許可された発見信号の送信タイミングを示すタイミング情報及び発見信号の送信に用いられることが許可された無線リソースの無線リソース情報の少なくとも１つを含む。無線リソース情報は、発見信号の送信に利用可能な周波数情報、フレームフォーマット情報（ＦＤＤ／ＴＤＤ）を含んでもよい。
【００８９】
ＮＷ５００は、Ｄｉｓｃｏｖｅｒａｂｌｅ関連情報を、Ｄ２Ｄ能力情報を送信したＵＥ１００にのみＤｉｓｃｏｖｅｒａｂｌｅ関連情報をユニキャストで送信してもよいし、ｅＮＢ２００が管理するセルに在圏する全てのＵＥ１００に送信してもよい。
【００９０】
なお、ＮＷ５００は、Ｄｉｓｃｏｖｅｒａｂｌｅ関連情報をＵＥ１００にＮＡＳ信号を用いてｅＮＢ２００を介して送信してもよいし、Ｄｉｓｃｏｖｅｒａｂｌｅ関連情報をＮＷ５００から受信したｅＮＢ２００が、高レイヤＡＳ信号（ｈｉｇｈｅｒ  ｌａｙｅｒ  ＡＳ  ｓｉｎｇｎａｌ）を用いて、ＵＥ１００にブロードキャスト又はユニキャストで送信してもよい。なお、後述するＤ２Ｄ端末情報も、Ｄｉｓｃｏｖｅｒａｂｌｅ関連情報と同様に送信されてもよい。
【００９１】
ステップＳ１０４において、ＵＥ１００−２は、ｅＮＢ２００との接続を確立する。
【００９２】
ステップＳ１０５において、ＵＥ１００−２は、Ｄ２Ｄ能力情報をｅＮＢ２００を介してＮＷ５００に送信する。ＮＷ５００は、Ｄ２Ｄ能力情報を受信する。
【００９３】
ステップＳ１０６において、ＵＥ１００−２は、Ｄ２Ｄ端末情報を要求するためのＤ２Ｄ端末情報要求（端末情報要求）を、ｅＮＢ２００を介してＮＷ５００に送信する。ＮＷ５００は、Ｄ２Ｄ端末情報要求を受信する。Ｄ２Ｄ端末情報については、後述する。
【００９４】
Ｄ２Ｄ端末情報要求は、現在のＵＥ１００の位置を示す位置情報を含んでもよい。
【００９５】
ＵＥ１００−２は、例えば、ＵＥ１００−２がＤ２Ｄ通信を過去に行った位置に近接した場合に、Ｄ２Ｄ端末情報要求をＮＷ５００に送信する。具体的には、ＵＥ１００−２は、過去のＤ２Ｄ通信のアクセス履歴に含まれる位置情報と現在の位置情報とに基づいて、ＵＥ１００−２が、過去にＤ２Ｄ通信を行ったＵＥ１００の周辺に位置すると判定した場合、Ｄ２Ｄ端末情報要求を送信する。
【００９６】
或いは、ＵＥ１００−２は、Ｄ２Ｄ通信可能であり、位置が固定されている固定端末の位置情報に関する過去に取得したリストに基づいて、ＵＥ１００の周辺にＤ２Ｄ通信可能なＵＥ１００が存在する判定した場合、Ｄ２Ｄ端末情報要求を送信してもよい。
【００９７】
また、ＵＥ１００−２は、Ｄ２Ｄ端末情報要求を送信する前に、周辺に位置する過去にＤ２Ｄ通信を行ったＵＥ１００の情報をユーザインターフェイス１２０に表示してもよい。ユーザから接続を希望するＵＥ１００（例えば、ＵＥ１００−２）が入力された場合に、Ｄ２Ｄ端末情報要求を送信してもよい。
【００９８】
一方、ＮＷ５００は、ＵＥ１００−２からＤ２Ｄ端末情報要求を受信した場合、ＵＥ１００−２がＤ２Ｄ通信によって情報を配信する他のＵＥ１００の周辺に位置するか否かを判定する。例えば、ＮＷ５００は、ＵＥ１００−２の位置と他のＵＥ１００の位置との距離がＤ２Ｄ通信可能な距離であることを示す閾値以下である場合、ＵＥ１００−２が他のＵＥ１００の周辺に位置すると判定してもよい。或いは、ＮＷ５００は、ＵＥ１００が接続するセルと同一のセルに存在するＵＥ１００をＵＥ１００−２の周辺に位置するＵＥ１００と判定してもよい。
【００９９】
ＮＷ５００は、ＵＥ１００−２が他のＵＥ１００の周辺に位置すると判定した場合、Ｄ２Ｄ端末情報をＵＥ１００−２に送信する。ＮＷ５００は、ＵＥ１００−２からＤ２Ｄ能力情報を受信していた場合にのみ、Ｄ２Ｄ端末情報をＵＥ１００−２に送信してもよい。
【０１００】
ステップＳ１０７において、ＵＥ１００−１は、Ｄｉｓｃｏｖｅｒａｂｌｅ関連情報に基づいて、Ｄｉｓｃｏｖｅｒａｂｌｅ信号の送信を開始する。本実施形態において、ＵＥ１００−１は、Ｄｉｓｃｏｖｅｒａｂｌｅ関連情報に含まれるタイミング情報に基づいて、所定の周期で、Ｄｉｓｃｏｖｅｒａｂｌｅ信号をブロードキャストによって送信する。
【０１０１】
ステップＳ１０８において、ＮＷ５００は、Ｄ２Ｄ端末情報要求の受信に応じて、Ｄ２Ｄ端末情報をｅＮＢ２００を介してＵＥ１００−２に送信する。ＵＥ１００−２は、Ｄ２Ｄ端末情報を受信する。
【０１０２】
Ｄ２Ｄ端末情報は、ＵＥ１００−２の周辺に位置するＵＥ１００に関する情報である。Ｄ２Ｄ端末情報は、ＵＥ１００−２がＤ２Ｄ通信における相手端末を発見するための制御を行うか否かを判定するために用いられる。
【０１０３】
Ｄ２Ｄ端末情報は、例えば、ＵＥ１００−２の周辺に位置する他のＵＥ１００が配信する内容が分かる情報（例えば、配信しているコンテンツの内容など）、ＵＥ１００−２の周辺に位置する他のＵＥ１００の位置情報である。ＮＷ５００は、これらの情報をＵＥ１００から取得してもよいし、管理サーバに問い合わせて取得してもよい。
【０１０４】
ＮＷ５００は、Ｄ２Ｄ能力情報が、ＵＥ１００−２がＤ２Ｄ通信を可能な周波数帯域を特定するための情報を含む場合、当該情報によって特定された周波数帯域を用いてＤ２Ｄ通信を可能なＵＥ１００のみに関するＤ２Ｄ端末情報をＵＥ１００−２に送信してもよい。すなわち、ＮＷ５００は、ＵＥ１００−２がＤ２Ｄ通信を不可能な周波数帯域のみでＤ２Ｄ通信可能なＵＥ１００に関するＤ２Ｄ端末情報を、ＵＥ１００−２に送信しなくてもよい。
【０１０５】
また、ＮＷ５００は、ＵＥ１００−２の周辺に位置するＵＥ１００のうち、位置が固定されているＵＥ１００に関するＤ２Ｄ端末情報を送信してもよい。
【０１０６】
一方、ＵＥ１００−２は、Ｄ２Ｄ端末情報に基づいて、ＵＥ１００−２の周辺に位置する他のＵＥ１００を発見するための制御を行うか否かの判定を行う。
【０１０７】
例えば、Ｄ２Ｄ端末情報が他のＵＥ１００の配信に関する情報（配信に用いられるアプリケーションの識別子）を含む場合、ＵＥ１００−２は、Ｄ２Ｄ端末情報と、ＵＥ１００−２に予め登録された情報（例えば、ＵＥ１００−２が利用可能なアプリケーションの識別子）とに基づいて、当該制御を行うか否かを判定する。この場合、ＵＥ１００−２は、配信に用いられるアプリケーションの識別子と、ＵＥ１００−２が利用可能なアプリケーションの識別子とが一致した場合に、当該制御を行うと判定してもよい。また、ＵＥ１００−２は、配信しているコンテンツの内容を視認したユーザによって入力された信号に基づいて当該制御を行うと判定してもよい。また、ＵＥ１００−２は、他のＵＥ１００の位置情報と現在の位置情報とによって、ＵＥ１００−２と他のＵＥ１００との距離が近接していることを示す所定値以内である場合、当該制御を行うと判定してもよい。
【０１０８】
本実施形態において、Ｄ２Ｄ端末情報には、ＵＥ１００−２に関する情報が含まれており、ＵＥ１００−２は、ＵＥ１００−１を発見するための制御を行うと判定したと仮定して説明する。
【０１０９】
本実施形態において、ＵＥ１００−２は、当該制御を行うと判定した場合、ステップＳ１０９の処理を行う。
【０１１０】
ステップＳ１０９において、ＵＥ１００−２は、他のＵＥ１００が送信する発見信号に関するＤｉｓｃｏｖｅｒｙ関連情報（発見信号情報）を要求するためのＤｉｓｃｏｖｅｒｙ関連情報要求（発見情報要求）をｅＮＢ２００に送信する。ｅＮＢ２００は、Ｄｉｓｃｏｖｅｒｙ関連情報要求を受信する。
【０１１１】
Ｄｉｓｃｏｖｅｒｙ関連情報要求は、ＵＥ１００−２がＤ２Ｄ通信の相手として希望するＵＥ１００−１の識別子を含んでいてもよい。
【０１１２】
ステップＳ１１０において、ｅＮＢ２００は、Ｄｉｓｃｏｖｅｒｙ関連情報要求の受信に応じて、Ｄｉｓｃｏｖｅｒｙ関連情報をＵＥ１００−２に送信する。ＵＥ１００−２は、Ｄｉｓｃｏｖｅｒｙ関連情報を受信する。
【０１１３】
Ｄｉｓｃｏｖｅｒｙ関連情報は、他のＵＥ１００が発見信号を送信するタイミングを示す情報及び／又は他のＵＥ１００の発見信号の送信に用いられる無線リソースの割当情報を含む。Ｄｉｓｃｏｖｅｒｙ関連情報は、上述のＤｉｓｃｏｖｅｒａｂｌｅ関連情報と同様の内容であってもよい。すなわち、ｅＮＢ２００は、Ｄｉｓｃｏｖｅｒｙ関連情報として、Ｄｉｓｃｏｖｅｒａｂｌｅ関連情報を送信してもよい。
【０１１４】
ｅＮＢ２００は、ＵＥ１００−２がＤ２Ｄ通信の相手として希望するＵＥ１００−１のみに関するＤｉｓｃｏｖｅｒｙ関連情報をＵＥ１００−２に送信してもよい。
【０１１５】
なお、ｅＮＢ２００は、Ｄｉｓｃｏｖｅｒｙ関連情報を高レイヤＡＳ信号を用いて、ＵＥ１００に送信してもよい。
【０１１６】
ステップＳ１１１において、ＵＥ１００−２は、ＵＥ１００−１を発見するための制御を行う。具体的には、ＵＥ１００−２は、Ｄｉｓｃｏｖｅｒｙ関連情報に基づいて、ＵＥ１００−１から送信されるＤｉｓｃｏｖｅｒａｂｌｅ信号を受信するための制御を行う。ＵＥ１００−２は、Ｄｉｓｃｏｖｅｒａｂｌｅ信号を受信した場合、ＵＥ１００−１を発見したと判定する。ＵＥ１００−２は、Ｄｉｓｃｏｖｅｒａｂｌｅ信号への応答信号をＵＥ１００−１に送信することによって、ＵＥ１００−１は、ＵＥ１００−２に発見されたと判定する。その後、ＵＥ１００−１及びＵＥ１００−２は、Ｄ２Ｄ通信を開始する。ＵＥ１００−２は、ＵＥ１００−１が配信する情報を受信する。
【０１１７】
（実施形態のまとめ）
本実施形態において、ＮＷ５００は、Ｄ２Ｄ通信によって情報を配信するＵＥ１００−１の周辺にＵＥ１００−２が位置する場合、ＵＥ１００−１に関するＤ２Ｄ端末情報をＵＥ１００−２に送信する。ＵＥ１００−２は、ＮＷ５００からＤ２Ｄ端末情報を受信する。ＵＥ１００−２は、Ｄ２Ｄ端末情報に基づいて、ＵＥ１００−２を発見するための制御を行う。これにより、ＵＥ１００−２は、自身の周辺にＤ２Ｄ通信可能なＵＥ１００が存在することが分かるため、Ｄ２Ｄ通信の相手端末が周辺に存在しないにもかかわらず発見するための制御を行うことを抑制できる。従って、無駄なバッテリの消費を抑制できる。
【０１１８】
本実施形態において、ＵＥ１００−２は、Ｄ２Ｄ端末情報を要求するためのＤ２Ｄ端末情報要求をＮＷ５００に送信する。ＮＷ５００は、Ｄ２Ｄ端末情報要求をＵＥ１００−２から受信する。ＮＷ５００は、Ｄ２Ｄ端末情報要求の受信に応じて、Ｄ２Ｄ端末情報をＵＥ１００に送信する。これにより、ＵＥ１００−２は、Ｄ２Ｄ端末情報が必要なときにＤ２Ｄ端末情報を取得することができる。このため、ＵＥ１００−２は、Ｄ２Ｄ端末情報が必要ないときにはＤ２Ｄ端末情報を受信しないため、無駄なバッテリの消費を抑制できる。
【０１１９】
本実施形態において、ＵＥ１００−２は、過去にＤ２Ｄ通信を行った位置に近接した場合に、Ｄ２Ｄ端末情報要求をＮＷ５００に送信できる。これにより、ＵＥ１００−２は、過去にＤ２Ｄ通信を行ったＵＥ１００が、現在も同じ位置に存在するかを確認することができる。従って、無駄なバッテリの消費を抑制できる。
【０１２０】
本実施形態において、ＵＥ１００−２は、Ｄ２Ｄ端末情報を受信する前に、Ｄ２Ｄ能力情報をＮＷ５００に送信する。ＮＷ５００は、Ｄ２Ｄ能力情報をＵＥ１００−２から受信していた場合にのみ、Ｄ２Ｄ端末情報をＵＥ１００に送信する。これにより、Ｄ２Ｄ通信不可能なＵＥ１００は、Ｄ２Ｄ端末情報を送信する対象とならないため、無線リソースを有効活用できる。
【０１２１】
本実施形態において、Ｄ２Ｄ能力情報は、ＵＥ１００がＤ２Ｄ通信を可能な周波数帯域を特定するための情報を含む。ＮＷ５００は、Ｄ２Ｄ能力情報が、Ｄ２Ｄ通信能力情報の送信元のＵＥ１００−２がＤ２Ｄ通信を可能な周波数帯域を特定するための情報を含む場合、当該情報によって特定された周波数帯域を用いてＤ２Ｄ通信を可能なＵＥ１００のみ関するＤ２Ｄ端末情報をＵＥ１００−２に送信できる。これにより、ＮＷ５００は、ＵＥ１００−２がＤ２Ｄ通信できないＵＥ１００に関するＤ２Ｄ端末情報を送信せずにすむため、無線リソースを有効活用できる。
【０１２２】
本実施形態において、ＮＷ５００は、ＵＥ１００−２の周辺に位置するＵＥ１００のうち、位置が固定されているＵＥ１００に関するＤ２Ｄ端末情報を送信できる。これにより、位置が固定されているＵＥ１００の位置は、Ｄ２Ｄ管理リストに記憶されたＵＥ１００の位置情報が示す位置と同じである可能性が非常に高いため、Ｄ２Ｄ関連情報の信頼性が向上する。その結果、ＵＥ１００−２は、Ｄ２Ｄ関連情報に基づいて、発見のための制御を行うかを判定することにより、無駄なバッテリの消費をより抑制可能となる。
【０１２３】
本実施形態において、ＮＷ５００は、Ｄ２Ｄ端末情報を送信した後に、Ｄｉｓｃｏｖｅｒｙ関連情報をＵＥ１００−２に送信する。ＵＥ１００は、発見のための制御を行うと判定した後に、Ｄｉｓｃｏｖｅｒｙ関連情報を受信する。ＵＥ１００は、Ｄｉｓｃｏｖｅｒｙ関連情報に基づいて、Ｄｉｓｃｏｖｅｒａｂｌｅ信号を受信するための制御を行う。また、Ｄｉｓｃｏｖｅｒｙ関連情報は、ＵＥ１００−１がＤｉｓｃｏｖｅｒａｂｌｅ信号を送信するタイミングを示す情報及び／又はＵＥ１００−１のＤｉｓｃｏｖｅｒａｂｌｅ信号の送信に用いられる無線リソースを示す情報を含む。これにより、ＵＥ１００−２は、発見のための制御を行う時間を短縮することができる。従って、無駄なバッテリの消費をより抑制可能となる。
【０１２４】
本実施形態において、ＵＥ１００−２は、Ｄ２Ｄ端末情報を受信した後に、Ｄｉｓｃｏｖｅｒｙ関連情報要求をＮＷ５００に送信する。ＮＷ５００は、Ｄ２Ｄ端末情報を送信した後に、Ｄｉｓｃｏｖｅｒｙ関連情報要求を受信した場合、Ｄｉｓｃｏｖｅｒｙ関連情報をＵＥ１００−２に送信する。これにより、ＮＷ５００は、Ｄ２Ｄ通信を行わないＵＥ１００にＤｉｓｃｏｖｅｒｙ関連情報を送信せずにすむため、無線リソースを有効活用できる。
【０１２５】
本実施形態において、ＮＷ５００は、所定の条件においてＤｉｓｃｏｖｅｒａｂｌｅ信号の送信を許可するＤｉｓｃｏｖｅｒａｂｌｅ関連情報をＵＥ１００−１に送信し、Ｄｉｓｃｏｖｅｒｙ関連情報（本実施形態におけるＤｉｓｃｏｖｅｒａｂｌｅ関連情報）をＵＥ１００−２に送信する。これにより、ＮＷ５００は、ＵＥ１００−１のＤｉｓｃｏｖｅｒａｂｌｅ信号の送信を制御できるとともに、ＵＥ１００−２は、発見のための制御を行う時間を短縮することができる。従って、無駄なバッテリの消費をより抑制可能となる。
【０１２６】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２７】
例えば、上述した実施形態では、ＮＷ５００であるネットワーク装置は、ｅＮＢ２００と異なっていたが、ネットワーク装置は、ｅＮＢ２００であってもよい。また、ネットワーク装置は、コアネットワークを構成する装置（例えば、ＭＭＥ）であってもよいし、管理サーバであってもよい。また、ｅＮＢ２００が本実施形態に係るネットワーク装置と同様の機能を有し、他のネットワーク装置と連携して、上述の実施形態に係る制御を行ってもよい。
【０１２８】
また、上述した実施形態において、ＵＥ１００−１は、発見信号としてＤｉｓｃｏｖｅｒａｂｌｅ信号を送信したが、これに限られない。例えば、ＵＥ１００−１は、発見信号として、相手端末を発見する信号（Ｄｉｓｃｏｖｅｒｙ信号）を送信してもよい。ＵＥ１００−２は、Ｄｉｓｃｏｖｅｒｙ信号を受信することによって、ＵＥ１００−１を発見できる。ＵＥ１００−１は、ＵＥ１００−２からのＤｉｓｃｏｖｅｒｙ信号の応答を受信することによって、ＵＥ１００−２を発見できる。
【０１２９】
また、上述した実施形態では、ＵＥ１００−２は、ＵＥ１００−１を発見するための制御として、Ｄｉｓｃｏｖｅｒａｂｌｅ信号を受信する制御を行ったが、これに限られない。例えば、ＵＥ１００−２は、ＵＥ１００−１から送信されるＤｉｓｃｏｖｅｒｙ信号を受信することによって、ＵＥ１００−１を発見してもよい。或いは、ＵＥ１００−２は、Ｄｉｓｃｏｖｅｒｙ信号（又はＤｉｓｃｏｖｅｒａｂｌｅ信号）を送信し、ＵＥ１００−１からのＤｉｓｃｏｖｅｒｙ信号（又はＤｉｓｃｏｖｅｒａｂｌｅ信号）への応答を受信することによって、ＵＥ１００−１を発見してもよい。
【０１３０】
また、上述した実施形態において、ＮＷ５００は、Ｄ２Ｄ端末情報要求の受信に応じて、Ｄ２Ｄ端末情報を送信したが、これに限られない。例えば、ＮＷ５００は、周期的又は非周期的に、セルに接続する各ＵＥ１００がＤ２Ｄ通信によって情報を配信する他のＵＥ１００の周辺に位置するか否かを判定する。ＮＷ５００は、ＵＥ１００が当該他のＵＥ１００の周辺に位置すると判定した場合、Ｄ２Ｄ端末情報を送信してもよい。
【０１３１】
また、上述した実施形態において、ｅＮＢ２００は、Ｄｉｓｃｏｖｅｒｙ関連情報要求の受信に応じて、Ｄｉｓｃｏｖｅｒｙ関連情報を送信したが、これに限られない。例えば、ｅＮＢ２００は、周期的に又は非周期的に、Ｄｉｓｃｏｖｅｒｙ関連情報を送信してもよい。また、ｅＮＢ２００が、Ｄｉｓｃｏｖｅｒｙ関連情報の送信を制御していたが、ＮＷ５００がＤｉｓｃｏｖｅｒｙ関連情報の送信を制御してもよい。すなわち、ＮＷ５００は、ｅＮＢ２００を介して、Ｄｉｓｃｏｖｅｒｙ関連情報要求を受信した場合に、Ｄｉｓｃｏｖｅｒｙ関連情報をＵＥ１００−２に送信してもよい。
【０１３２】
また、上述した実施形態において、ＵＥ１００−２は、ＵＥ１００−２の周辺に位置する他のＵＥ１００を発見するための制御を行うと判定した後に、Ｄｉｓｃｏｖｅｒｙ関連情報要求を送信したが、これに限られない。ＵＥ１００−２は、当該制御を行うと判定した後に、Ｄｉｓｃｏｖｅｒｙ関連情報要求を送信せずに、Ｄｉｓｃｏｖｅｒｙを行ってもよい。
【０１３３】
また、上述した実施形態において、ＵＥ１００−１は、移動が制限された端末（例えば、位置が固定されている固定端末）である場合、ＵＥ能力情報に固定端末であることを示す固定情報を含めてＮＷ５００に送信してもよい。ＮＷ５００は、固定情報に基づいて、Ｄ２Ｄ管理リストを更新してもよい。
【０１３４】
なお、ＵＥ１００−２は、通信を目的として、ＵＥ１００−１を発見するための制御を行うことはもちろん、発見した相手と通信を行うか否かにかかわらず、自身の周囲に存在するＵＥ１００−１を発見することのみを目的として発見するための制御を行ってもよい。
【０１３５】
なお、ＵＥ１００−２は、ＵＥ１００−２がＤ２Ｄ通信を過去に行った位置に近接した場合に、Ｄ２Ｄ端末情報を受信していなくても、Ｄｉｓｃｏｖｅｒｙ関連情報を予め受信していた場合、Ｄｉｓｃｏｖｅｒｙ関連情報に基づいて、他のＵＥ１００を発見するための制御を行ってもよい。
【０１３６】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１３７】
なお、日本国特許出願第２０１３−２０２７６５号（２０１３年９月２７日出願）の全内容が、参照により、本願明細書に組み込まれている。
【産業上の利用可能性】
【０１３８】
以上のように、本発明に係るユーザ端末及びネットワーク装置は、Ｄ２Ｄ通信における無駄なバッテリの消費を抑制可能であるため、移動通信分野において有用である。
【図１】
2015045860.tif 000003
【図２】
2015045860.tif 000004
【図３】
2015045860.tif 000005
【図４】
2015045860.tif 000006
【図５】
2015045860.tif 000007
【図６】
2015045860.tif 000008
【図７】
2015045860.tif 000009
【図８】
2015045860.tif 000010
【図９】
2015045860.tif 000011
【国際調査報告】
2015045860.tif 000012
2015045860.tif 000013
2015045860.tif 000014